(57)【特許請求の範囲】
【請求項１】
膣内に挿入される挿入部と、この挿入部を支持する支持部とからなり、前記挿入部の先端は丸く形成されて体液を導入する導入孔が形成され、この導入孔は丸く形成された挿入部先端部近傍から軸方向に伸びるとともにその後端部が挿入部内部に伸びて前記挿入部内部に形成された内孔に開口し、この内孔に着脱自在に取付けられた参照電極の液絡部に連通しており、前記導入孔にはｐｈセンサが臨設され、前記挿入部の前記導入孔を含む部分は着脱自在となっており、前記支持部には表示部が設けられ、この表示部は測定値に応じて色表示され、前記ｐｈセンサと参照電極からの信号に基づいて体液のｐｈ値を演算し表示部に色表示する制御部が設けられていることを特徴とする排卵検出器。
【請求項２】
前記表示部には、ｐｈ値が６．６以下の場合には青、６．７〜７．３の場合には黄色、７．４以上の場合には赤の色表示をすることを特徴とする請求項１に記載の排卵検出器。
【請求項３】
前記表示部には、色表示と数値表示を同時に表示できるように制御されることを特徴とする請求項１又は２のいずれかに記載の排卵検出器。
【発明の詳細な説明】
【技術分野】
【０００１】
本発明は、女性が妊娠可能かどうかを判定するための排卵検出器に関する。
【背景技術】
【０００２】
従来、この種の装置あるいは器具としては、尿の中に含まれて排泄される女性ホルモンの量を計測し、排卵時にはその量が増大することをもって妊娠可能かどうかの判定をするという器具が提案されている。
【特許文献１】特表２００２−５４２８４３
【特許文献２】特表２０００−３３８０７７
【発明の開示】
【発明が解決しようとする課題】
【０００３】
しかしながら、上述のセンサは、単一のホルモンに反応して数値が求められることが理想であったが、尿の中には他の有機物、ホルモンなどが含まれており、また、健康状態、食事の取り方あるいは採尿の時期などにその値が大きく左右されるために、原理的には適切な方法であったが尿それ自体の変化が大きいことが理由となって、結果、測定誤差が非常に大きいという欠点を持っていた。
【０００４】
また、睡眠研究の分野において、女性の性衝動時の膣液はｐｈが大きく変化するということが分かっていた。そのため、ｐｈメーターでの測定を推奨する医者もいるほどであった。ｐｈ計としては、ＩＳＦＥＴという電界トランジスターを利用したものがあるが、女性の体液を測定する形態になっておらず、また、ｐｈメーターという器具はいかにも無粋であり、なじみがないという欠点から一般化していなかった。
【課題を解決するための手段】
【０００５】
そこで、本発明は、膣内に挿入される挿入部と、この挿入部を支持する支持部とからなり、前記挿入部の先端は丸く形成されて体液を導入する導入孔が形成され、この導入孔にｐｈセンサが臨設され、この導入孔は着脱自在に挿入部内に取付けられた参照電極の液絡部に連通しており、前記支持部には表示部が設けられ、この表示部は測定値に応じて色表示され、前記ｐｈセンサと参照電極からの信号に基づいて体液のｐｈ値を計算し表示部に色表示する制御部を設けるようにした。前記導入孔は挿入部先端の周囲に沿って軸方向に伸びる長孔状をなしており、前記挿入部の先端部は着脱自在になっており、前記表示部には、ｐｈ値が６．６以下の場合には赤、６．７〜７．３の場合には黄色、７．４以上の場合には青の色表示し、前記表示部には、色表示と数値表示を同時に表示できるように制御される。
【発明の効果】
【０００６】
膣内にスムースに挿入でき、ｐｈセンサ、参照電極の検出信号を制御部で演算して直ちに表示部に色表示でき、使用者が直ちに自らが妊娠可能か否かを判断できる。
【発明を実施するための最良の形態】
【０００７】
以下、図面を参照して本発明の実施形態について説明する。
【０００８】
性交時に男性が放出するスペルマは、その中に精子が約３〜４億個含まれた液体である。このスペルマはｐｈが約８であり、すなわち精子は弱アルカリ性の環境のみで生存できる。
【０００９】
人間の皮膚の表面のｐｈは弱酸性であることは一般に知られている事実であり、このことを利用して弱酸性の石鹸、化粧水などが健康に良いとされて一般に販売されている。生理学からはこの現象は、皮膚に付着する害のある細菌などを駆逐し、その増殖を抑えて病気から人体を防御するものと考えられている。
【００１０】
一方、性交渉の結果、女性の体内にスペルマという危険きわまりない液体が注入される訳であるので、必要のない場合には排除することが生理学的に要求されることになる。このための防御方法として、女性が放出する膣液は、通常酸性となっている。特に湿潤な閉鎖空間であるので、細菌にとっては格好の増殖の場所になり、それを健康な状態に保つために酸性環境になっている。男性の放出するスペルマはこの環境にさらされるので、弱アルカリ環境のみで生息できる精子は当然全滅する。
【００１１】
ところが、排卵し、妊娠するためにはこの精子を温存して、卵管まで導くことが妊娠のためには必要であるので、妊娠可能時にはこの膣内環境は弱アルカリに保持されなければならない。
【００１２】
従って、膣内環境のｐｈを測定すれば、妊娠可能な時期になっているかどうかを判定できることになる。
【００１３】
膣内の体液のｐｈ値を測定するための器具としては図１、２に示すような器具が考えられる。
【００１４】
すなわち、図１、２において、本発明の排卵検出具１は膣内に挿入される挿入部２と、この挿入部２を支持する支持部３とからなる。前記挿入部２の先端部２ａは膣内を傷つけないように丸く形成されており、挿入部本体２ｂに螺着により着脱可能に取付けられている。前記挿入部先端部２ａの周面には、例えば周面方向９０°間隔で４本の体液を導入するための導入孔４、４…４が形成され、この導入孔４の後端部は先端部内部に伸びてその内孔５内に伸びている。前記導入孔４の少なくとも１つには、例えば、半導体のＩＳＦＥＴ方式によるｐｈセンサ６が臨まされるようにして設けられている。
【００１５】
前記挿入部の先端部２ａの後端にはねじ部７が形成され、このねじ部７が挿入部本体２ｂに着脱自在に螺着されている。前記先端部２ａの内孔５内には、参照電極８の一部が挿入される。前記参照電極８の先端部の周囲に設けた液絡部８ａが前記導入孔４の後端部に連通している。前記液絡部８ａにおいては、ＫＣＬ等の内部液が体液と接触する。前記挿入部２および支持部３の内部には、収納孔９が形成され、この収納孔９内には前記参照電極８、制御部１０および電源部１１が図上左から順に収納されている。
【００１６】
前記支持部３は挿入部２の後端部にその高さ、幅が挿入部２の径より大きい角形に形成され、その上面には表示部１２が形成され、この表示部１２は、ＬＥＤからなり、体液のｐｈ値をデジタルで表示する第１表示面１２ａおよびそのときのｐｈ値を色表示するための色表示面１２ｂが形成されている。すなわち、ｐｈ値が６．６以下の場合には、青色に、６．７〜７．２の場合には黄色に、７．３以上の場合には赤色で表示され、赤の場合には排卵が起こり、性行為による妊娠の可能性が高いことを示している。前記表示部１２は、切換スイッチ１３の操作により色表示のみを行なうが、ｐｈ値をデジタル表示とともに色表示するかを選択的に行なうことができる。また、支持部３の上面前端には、電源スイッチ１４が設けられている。また、前記支持部３の後端は蓋１５によって閉塞されている。なお、ｐｈセンサ６、参照電極８、表示部１２、操作スイッチ１３および電源１１および電源スイッチ１４は、制御部１０にそれぞれ電気的に接続されている。
【００１７】
次に、本排卵検出器の使用方法について述べる。先ず、電源スイッチ１４をＯＮとし表示部１２の表示を選択スイッチ１３によりデジタル表示と色表示の同時表示か色表示のみ
かを選択する。そして、前記挿入部２を膣に挿入し、体液を挿入部の先端部の導入孔４から導入せしめる。このとき、半導体センサ６は体液のｐｈ値信号を制御部１０に送る。これと同時に体液は前記参照電極８の液絡部８ａにおいて参照電極８内の内部液に接触し、参照電極８からの参照信号を制御部１１に送る。前記制御部１１はこれらＰＨ値信号と参照信号とから実際の体液のｐｈ値を演算し、そのｐｈ値（デジタル）と色表示を表示部１２に表示する（両表示の場合）。単一表示の場合は色表示のみを行なう。
【００１８】
使用後には、挿入部の先端部２ａを本体から取外して洗浄する。また、図示していないが、校正液をｐｈセンサ６の部分に滴らしｐｈ値を安定させて校正スイッチを押すようにして校正することも可能である。以下の表１は、ある２０才代の女性の被検体の例を示す。測定は、毎朝、起きがけに測定を依頼したものである。
【００１９】
【表１】
0003607911.tif 000002
この種の検出方法としては、従来の技術で述べたように女性ホルモンの量を検出するという方法、基礎体温を測定するなどの方法があるが、尿を採って検査する方法はいかにも煩雑で不快な印象があり、また、基礎体温ははっきり結果が出る人と出ない人とがあり、かつ、早朝の起き抜け時の体温が安定した時に安静状態で測定するという測定の持続という観点からはなかなかなじまないものとなっている。
【００２０】
この点から、単に微量な体液によって短時間に測定ができ、かつ、操作が非常に簡便であるということによってたやすく状態を把握でき特徴がある。また、この器具は持参が可能であるのでいつでもどこでも測定できるという長所を持っている。
【００２１】
自分自身の排卵時期がいつでも測定できることから、避妊したい場合、あるいは妊娠した場合に有効に使用することができる。
【産業上の利用可能性】
【００２２】
本発明は、健康管理用および妊娠可能性を判断する健康器具分野に適用される。
【図面の簡単な説明】
【００２３】
【図１】本発明の排卵検出器の継断面図。
【図２】本発明の排卵検出器の斜視図。
【符号の説明】
【００２４】
１  排卵検出具
２  挿入部
３  支持部
４  導入部
６  ｐｈセンサ
８  参照電極
１２  表示部
【要約】
【課題】  手軽に女性が妊娠可能か否かを判断できる排卵検出具を提供する。
【解決手段】  先端２ａが丸く形成された挿入部２を備え、この先端２ａに膣内の体液を導入する導入孔４を設け、この導入孔４にｐｈセンサ６を臨ませるとともに導入孔４の後端部を参照電極８の液絡部８ａに連通せしめ、支持部３に表示部１２を設け、この表示部１２にＰＨ値に対応した色表示を行なう。
【選択図】  図１
【図１】
0003607911.tif 000003
【図２】
0003607911.tif 000004